(57)【要約】【課題】  リブを有する取付部材を被取付部材に取付けるクリップを提供する。【解決手段】  クリップ１は、取付部材を保持するグリッパ部２と、被取付部材に固定される固定部３とから構成され、グリッパ部２は、取付部材のリブ部分を挟むための剛性壁５と弾性挟持片６とを備え、挟持片６外力が加わらない通常位置において壁５との間にリブ部分を受入れる空間をするとももに、外力が加えられると壁５との間のリブ部分を挟んで保持する挟持位置をとり、固定部３は、被取付部材のスタッドに固定される係止爪２３と、グリッパ部２のガイド１０に延び出て挟持片６を挟持位置に撓めるように当接する当接部２５とを包含する。【選択図】          図１
2006219070.tif 000002
【特許請求の範囲】
【請求項１】
フットレスト等の取付部材をダッシュフロアパネル等の被取付部材に取付けるためのクリップであって、
前記取付部材を保持するグリッパ部と、前記被取付部材に固定される固定部とから構成され、
前記グリッパ部は、被取付部材に対面する側の取付部材に形成されたリブ部分を挟むための剛性の壁と、外力が加わらない通常位置において前記壁との間に前記リブ部分を受入れる空間を形成する弾性の挟持片とを包含し、前記挟持片は、前記壁に向けて押付ける外力が加えられると該壁との間の前記リブ部分を挟んで保持する挟持位置をとるように撓むことができ、
前記固定部は、前記被取付部材に固定されるアンカー部と、前記グリッパ部に延び出ると前記挟持片を前記挟持位置に撓めるように当接する当接部とを包含し、前記当接部は、前記グリッパ部には延び出ない非作用置から前記グリッパ部に延び出て前記挟持片を前記挟持位置に撓める作用位置へ移動可能に形成されている
ことを特徴とするクリップ。
【請求項２】
請求項１に記載のクリップにおいて、前記グリッパ部は、前記リブ部分を受入れる空間を形成するように前記壁と前記挟持片とが立設されたベース部を包含し、該ベース部と前記壁と前記挟持片とによって形成される挟持部が２つ形成されていることを特徴とするクリップ。
【請求項３】
請求項２に記載のクリップにおいて、前記２つの挟持部の間に、前記当接部が延び出るように案内する中空のガイドが設けられており、前記当接部は、前記作用位置において前記ガイドから延び出て、前記２つの挟持部のそれぞれの挟持片を同時に前記挟持位置に撓めることを特徴とするクリップ。
【請求項４】
請求項３に記載のクリップにおいて、前記当接部の先端には、該当接部が前記両挟持片に当接して前記挟持位置に撓めた状態を保持するように、両挟持片の先端に係止する係止部が形成されていることを特徴とするクリップ。
【請求項５】
請求項２〜４のいずれか１項に記載のクリップにおいて、前記取付部材は、合成樹脂の発泡体で作られた緩衝部材であり、該取付部材には、前記リブが少なくとも間隔をあけて２つ形成されており、前記２つの挟持部に前記２つのリブが挟持されることを特徴とするクリップ。
【請求項６】
請求項１〜５のいずれか１項に記載のクリップにおいて、前記固定部は、前記当接部が前記非作用位置にある状態において前記グリッパ部に薄肉連結部で連結されており、該薄肉連結部は、前記当接部が前記作用位置へ移動するとき破断されることを特徴とするクリップ。
【請求項７】
請求項１〜６のいずれか１項に記載のクリップにおいて、前記アンカー部は、前記被取付部材に立設された棒状スタッドのねじ又は周溝に係止する係止爪であることを特徴とするクリップ。
【請求項８】
請求項７に記載のクリップにおいて、前記固定部は、前記係止爪が形成されたフランジを包含し、該フランジから前記当接部が軸方向に延びて形成されていることを特徴とするクリップ。
【発明の詳細な説明】
【技術分野】
【０００１】
本発明は、フットレスト等の取付部材をダッシュフロアパネル等の被取付部材に取付けるためのクリップに関する。
【背景技術】
【０００２】
フットレスト等の取付部材をダッシュフロアパネル等の被取付部材に取付けるためのクリップは知られている。特開２００３−２３９９２６号公報（特許文献１）には、そのクリップの１例が開示されている。クリップは、予めフットレストに取付けられ、クリップ付きのフットレストをもってダッシュフロアパネルの所定位置に立設された棒状スタッドにクリップのスタッド固定部があてがわれ、そのまま押込むことによって、フットレストがダッシュフロアパネルに取付けられる。クリップは、取付け作業を簡単にするとともに作業時間を短縮している。
【０００３】
上記クリップは、板状体に形成されたフットレストをパネルに取付けるのに便利に用いることができる。近年、自動車の衝突時における乗員の下肢障害を少なくするために、フットレストをウレタン等の合成樹脂の発泡体で作ることが行われつつある。例えば、特開２００２−３３１８９５号公報（特許文献２）には、発泡ウレタンの板状体で形成されるフットレストが開示されている。合成樹脂の発泡体で成るフットレストは衝突エネルギーの吸収を効果的に発揮している。更に、最近では、発泡体のエネルギー吸収を向上するため、樹脂発泡体の板状体部分からダッシュフロアパネル面側に延びるリブを、複数本、相互に間隔を空けて平行に形成したフットレストが用いられようとしている。
【０００４】
【特許文献１】特開２００３−２３９９２６号公報
【特許文献２】特開２００２−３３１８９５号公報
【発明の開示】
【発明が解決しようとする課題】
【０００５】
特許文献１に記載のクリップは、板状体に形成されたフットレストをパネルに取付けるには適しているが、パネル面側に延びる複数のリブが一定間隔で平行に形成される、合成樹脂の発泡体で成るフットレストをパネルに取付けるには適していない。特に、リブのエネルギー吸収機能を損なわずに、フットレストをパネルに取付けるには、特許文献１や特許文献２等に開示される公知のクリップでは不十分である。
【０００６】
従って、本発明の目的は、パネル面側に延びる複数のリブが一定間隔で平行に形成されている、合成樹脂発泡体で成るフットレスト等の取付部材をパネル等の被取付部材に取付けることのできるクリップを提供することにある。
【課題を解決するための手段】
【０００７】
かかる目的を達成するため、本発明に係る、フットレスト等の取付部材をダッシュフロアパネル等の被取付部材に取付けるクリップは、取付部材を保持するグリッパ部と、被取付部材に固定される固定部とから構成され、グリッパ部は、被取付部材に対面する側の取付部材に形成されたリブ部分を挟むための剛性の壁と、外力が加わらない通常位置において壁との間にリブ部分を受入れる空間を形成する弾性の挟持片とを包含し、挟持片は、壁に向けて押付ける外力が加えられると壁との間のリブ部分を挟んで保持する挟持位置をとるように撓むことができ、固定部は、被取付部材に固定されるアンカー部と、グリッパ部に延び出ると挟持片を挟持位置に撓めるように当接する当接部とを包含し、当接部は、グリッパ部には延び出ない非作用置からグリッパ部に延び出て挟持片を挟持位置に撓める作用位置へ移動可能に形成されている。かかる構成によって、取付部材が、パネルに対面する側にパネル側に延びる複数のリブが一定間隔で平行に形成されている合成樹脂の発泡体で成るフットレストであっても、そのリブ部分を壁と挟持片とで挟持することによってクリップがフットレストに適切に固着され、固定部のアンカー部をダッシュフロアパネル等の被取付部材に固定すれば、取付部材であるフットレストが被取付部材に固定され、その固定作業も、取付部材をもって被取付部材の所定位置に固定部を押付けるだけの簡単な作業で済む。
【０００８】
上記クリップにおいて、グリッパ部は、リブ部分を受入れる空間を形成するように壁と挟持片とが立設されたベース部を包含し、ベース部と壁と挟持片とによって形成される挟持部が２つ形成されるのが好ましい。２つの挟持部の間に、当接部が延び出るように案内する中空のガイドが設けられており、当接部は、作用位置においてガイドから延び出て、２つの挟持部のそれぞれの挟持片を同時に挟持位置に撓めることができる。当接部の先端には、当接部が両挟持片に当接して挟持位置に撓めた状態を保持するように、両挟持片の先端に係止する係止部が形成されている。取付部材は、合成樹脂の発泡体で作られた緩衝部材であり、取付部材には、リブが少なくとも間隔をあけて２つ形成されており、２つの挟持部にその２つのリブが挟持される。固定部は、当接部が非作用位置にある状態においてグリッパ部に薄肉連結部で連結されるのが好ましく、薄肉連結部は当接部が作用位置へ移動するとき破断される。アンカー部は、被取付部材に立設された棒状スタッドのねじ又は周溝に係止する係止爪であるのが好ましい。固定部は、係止爪が形成されたフランジを包含し、フランジから当接部が軸方向に延びて形成されているのが好ましい。
【発明を実施するための最良の形態】
【０００９】
以下、本発明の１実施形態に係るクリップについて図面を参照しながら説明する。フットレスト等の取付部材をダッシュフロアパネル等の被取付部材に取付けるためのクリップ１は、合成樹脂材料で成り、後述のように一体成形されるのが好ましい。図１〜図７に、取付け前のクリップ１が示されている。図８は、クリップ１の固定部の当接部がグリッパ部の挟持片を挟持位置に撓めている状態を示す。図９〜図１２は、クリップ１の取付け操作を示している。なお、図示の実施形態において、取付部材は、合成樹脂の発泡体で作られた緩衝部材で成るフットレストであり、図９〜図１２に図示のように、ダッシュフロアパネル面側のフットレストには、パネルに向けて延びる複数のリブが一定間隔で平行に形成されている。このように、取付部材はフットレストであり、被取付部材はダッシュフロアパネルであるとして説明するが、リブ等の被挟持部が形成された取付部材であれば、他の取付部材でもよく、また、被取付部材も他の任意のものであってよい。
【００１０】
図１〜図７を参照して、クリップ１の構成を説明する。クリップ１は、フットレストを保持するグリッパ部２と、ダッシュフロアパネルに固定される固定部３とから成る。グリッパ部２は、フットレストに形成された、ダッシュフロアパネルに対面する面のリブ部分を受入れて挟むために、剛性の壁５と弾性の挟持片６とを包含する。壁５と挟持片６を、フットレストのリブ部分を挟持する空間を形成するように立設保持するため、グリッパ部２には、水平方向の板状体で成るベース部７が形成されている。ベース部７と、該ベース部７によって立設された壁５と挟持片６が、フットレストのリブ部分を保持する挟持部を形成する。図示のように、壁５と挟持片６とベース部７によって形成される挟持部は２つ設けられ、フットレストの２つのリブ部分を挟持する。壁５の外面とベース部７の底面及び端部には、補強リブ９Ａ、９Ｂ及び９Ｃが形成されて、壁５及びベース部７の剛性を高く維持している。壁５と挟持片６の組で形成される、２つの挟持部の間隔は、フットレストのリブ部分の間隔に合わせて定められる。２つの挟持部の間のベース部７に対応する位置には、固定部３の当接部２５（後述）が延び出るように案内する中空のガイド１０が設けられている。ガイド１０は、２つの挟持片６の下部から更にベース部７に向けて延びる２つの小壁１１と該２つの小壁１１を連結する水平アーム１３Ａ及び１３Ｂと他の水平アーム１３Ｃとで形成され、内側に矩形断面の案内通路を形成している。各小壁１１の外面には、ベース部７との連結強度を高く維持するとともに、挟持片６と壁５の空間に受入れたフットレストのリブ部分に係合する突出リブ１４が形成されている。
【００１１】
挟持片６は、ガイド１０の小壁１１の上端に壁５との間に、外力が加わらない通常位置（図１〜図７の位置）において、フットレストのリブ部分を受入れる空間を形成する。挟持片６は、フットレストのリブ部分を受入れるとき、壁５から離れてリブ部分を受入れる空間を受入れ易いように大きく拡がり、リブ部分がその空間に収まったとき元の姿勢に戻ろうとする弾性を有する。また、挟持片６は、壁５の側に撓む可撓性を有し、壁５に向けて押付ける外力が加えられると、壁５との間に収まっているリブ部分を強く挟んで保持する挟持位置（図８、図１１、図１２参照）をとることができる。各挟持片６は、図２の正面図に逆三角形で示すように、下部から上部に向けて徐々に肉厚に形成される板状体で形成されている。挟持片６の上部の壁５に面する部分１５は、挟持部に受入れたフットレストのリブ部分を強く挟持するように壁５に向けて大きく張り出している。更に、この張出部分１５には、中間位置に、リブ部分に食い込む突起１７が形成されてリブ部分の把持を一層確実にしている。また、挟持片６の上部のガイド１０側の部分１８は、ガイド１０の中空部分の中に張出している。この第２の張出部分１８は、ガイド１０に固定部３の当接部２５が延び出たときに当接部２５が当接して挟持片６を壁５の側に撓める。すなわち、挟持片６には、当接部によって壁５に向けて押付ける外力が加えられ、挟持片６を挟持位置に撓める。
【００１２】
各挟持片６の上端には、固定部３の当接部２５が両挟持片６、６に当接して挟持位置に撓めた状態を保持するように、当接部２５の係止部２６（後述）を受けて係止する係止肩１９が形成されている。図示の実施形態において、係止肩１９は、第２張出部分１８を利用して形成されている。なお、各挟持片６の壁５に面する第１張出部分１５から上端に向けて、フットレストのリブ部分を受入れ易くするように上部に向けて拡がるテーパ面２１が形成されている。
【００１３】
固定部３は、円環状のフランジ２２を有し、フランジ２２には、ダッシュフロアパネルに固定されるアンカー部としての一対の係止爪２３が形成されている。係止爪２３は、ダッシュフロアパネルに立設された、ボルトスタッドあるいは周溝が形成されたスタッド等の棒状スタッドのねじ又は周溝に係止して、クリップ１を被取付部材であるダッシュフロアパネルに固定する。フランジ２２は、棒状スタッドを受入れるように中央が開口した円環形状に形成される。なお、アンカー部は、被取付部材への固定の態様によって他の形状にすることもできる。例えば、被取付部材に取付穴が形成されている場合には、錨脚係止部であってもよい。更に、被取付部材に適合する、他の公知の固定部の形状に形成することができる。
【００１４】
固定部３は、フランジ２２からグリッパ部２のガイド１０及び挟持片６の高さとほぼ同じ長さで軸方向に延びる当接部２５を包含する。当接部２５は、図示の実施形態では、中央がスタッドを受入れる空洞に形成された倒立Ｕ字形状の板状体で形成されている。当接部２５の形状は、図示の形状に限らず、例えば、筒状体に形成することもできる。当接部２５は、ガイド１０に延び出たときに挟持片６を壁５の側に撓める長さと形状に形成されていれば、他の任意の形状に形成できる。当接部２５は、ガイド１０内を延び出て、ガイド１０の空間に張出している挟持片６の第２張出部分１８を押出し、挟持片６を挟持位置に撓めるように当接する。図８は、当接部２５がガイド１０内を延びて挟持片６を挟持位置に撓めるように当接した状態を示している。当接部２５は、図１〜図７に示すように、グリッパ部２のガイド１０及び挟持片６の空間には延び出ない非作用置から、図８に示すように、グリッパ部２のガイド１０及び挟持片６の空間に延び出て、挟持片６を挟持位置に撓める作用位置へ移動できる。
【００１５】
固定部３の当接部２５の先端には、当接部２５が両挟持片６の第２張出部分１８に当接して挟持位置に撓めた状態を保持するように、両挟持片６の先端の係止肩１９に係止する係止部２６が形成されている。係止部２６は、図示のように、２つの挟持片６にそれぞれ係止するように当接部２５の先端から一定高さ延びた矢形に形成されて、当接部２５が、非作用置からグリッパ部２のガイド１０及び挟持片６の空間に延び出るのを容易にするとともに、図８に図示の作用位置では、同図に図示のように、挟持片６を挟持位置に維持して、その挟持位置から外れないようにロックする。
【００１６】
クリップ１は、グリッパ部２と固定部３とが、図１〜図７に示される使用前又は取付前の状態で１つの物品として一体成形される。図示の実施形態では、当接部２５が非作用位置にある状態において、当接部２５の先端に形成された係止部２６の先端とグリッパ部２のベース部７又はガイド１０の小壁１１の底面とが、一対の薄肉連結部２７（図２又は図５参照）で連結されている。薄肉連結部２７は、当接部２５を非作用位置から作用位置へ移動するとき破断される。このように、一体成形することによって、成形のための金型が１つでよくなるのでコストダウンを図ることができ、また、１物品であるので部品管理の点でも好ましい。
【００１７】
クリップ１を用いて、取付部材としてのフットレストを被取付部材としてのダッシュフロアパネルに取付ける操作を図９〜図１２を参照して説明する。図９において、ダッシュフロアパネル側の面に延びる複数のリブが一定間隔で平行に形成されたフットレスト２９のリブ部分３０Ａ〜３０Ｄが示されている。リブ部分３０Ｂ及び３０Ｃは、クリップ１を取付けるのに適するように、他のリブ部分３０Ａ及び３０Ｄより突出長さが短くされている。リブ部分３０Ｂ及び３０Ｃに対して、クリップ１のグリッパ部２が位置決めされる。詳細には、壁５と挟持片６とベース部７で形成される２つの挟持部が、リブ部分３０Ｂ及び３０Ｃを受入れる位置に配置される。配置後、そのまま、クリップ１を矢印３１の方向に移動させる。
【００１８】
図１０は、クリップ１のグリッパ部２の壁５と挟持片６の間の空間にリブ部分３０Ｂ及び３０Ｃが配置された状態を示している。この状態で、作業者は固定部３のフランジ２２に手をおいて、矢印３３のように固定部３をグリッパ部２に向けて押込む。この押込みによって、薄肉連結部２７が破断し、係止部２６及び当接部２５がガイド１０及び２つの挟持片６の間に押込まれる。その押込みによって、図８及び図１１に図示のように、当接部２５が２つの挟持片６の間に延び出て、当接部２５が挟持片６に当接して挟持片６に壁５に向けて押付ける外力が加えられ、挟持片６が壁５の側に撓められて挟持位置に移動させる。この挟持位置において、壁５と挟持片６によって、リブ部分３０Ｂ及び３０Ｃは、いずれも、グリッパ部２に強固に固着される。これによって、フットレスト２９にはクリップ１が所定個所に固着された状態になる。クリップ１が固着されたフットレスト２９は、ダッシュフロアパネルのある場所に搬入される。
【００１９】
図１１において、ダッシュフロアパネル３４のある場所に搬入された、クリップ１付きのフットレスト２９は、スタッド３５が固着された所定の位置に位置決めされる。クリップ１のフランジ２２に形成された係止爪２３がスタッド３５に係止するように位置決めされた後、矢印３７に示すように、フットレスト２９全体をダッシュフロアパネル３４に押付ける。図１２は、スタッド３５が当接部２５の中に受入れられて係止爪２３に係止してクリップ１がダッシュフロアパネル３４に固定され、またクリップ１は、グリッパ部２の壁５と挟持片６によってフットレスト２９に固着されている様子を示している。図１２に図示のように、クリップ１を用いれば、リブが形成された発泡体フットレスト等の取付部材を、ダッシュフロアパネル等の被取付部材に取付けることが簡単にできる。
【図面の簡単な説明】
【００２０】
【図１】本発明の１実施形態に係るクリップの使用前の状態の斜視図である。
【図２】図１のクリップの正面図である。
【図３】図２のクリップのＡ−Ａ線断面図である。
【図４】図２のクリップの底面図である。
【図５】図２のクリップのＢ−Ｂ線断面図である。
【図６】図２のクリップの側面図である。
【図７】図２のクリップのＣ−Ｃ線断面図である。
【図８】図１のクリップを、その固定部の当接部を作用位置に押込んだ状態を示す斜視図である。
【図９】図２のクリップをフットレストに取付ける前の状態を示す図である。
【図１０】図２のクリップをフットレストのリブに位置決めした状態を示す図である。
【図１１】図２のクリップをフットレストに取付けた後、ダッシュフロアパネルに位置決めした状態を示す図である。
【図１２】図２のクリップを用いてフットレストをダッシュフロアパネルに取付けた状態を示す図である。
【符号の説明】
【００２１】
１  クリップ
２  グリッパ部
３  固定部
５  壁
６  挟持片
７  ベース部
１０  ガイド
１１  ガイドの小壁
１３  ガイドのアーム
１４  突出リブ
１５  挟持片の第１張出部分
１７  突起
１８  挟持片の第２張出部分
１９  係止肩
２２  フランジ
２３  係止爪
２５  当接部
２６  係止部
２７  薄肉連結部
２９  フットレスト
３０  リブ部分
３４  ダッシュフロアパネル
３５  スタッド
【図１】
2006219070.tif 000003
【図２】
2006219070.tif 000004
【図３】
2006219070.tif 000005
【図４】
2006219070.tif 000006
【図５】
2006219070.tif 000007
【図６】
2006219070.tif 000008
【図７】
2006219070.tif 000009
【図８】
2006219070.tif 000010
【図９】
2006219070.tif 000011
【図１０】
2006219070.tif 000012
【図１１】
2006219070.tif 000013
【図１２】
2006219070.tif 000014